(57)【要約】【課題】竹材を主要材料として使用し、竹材の有効利用を図る弦楽器（例えば、ギター、チェロ、バイオリン、又はこれらに類似する楽器）を提供する。【解決手段】弦楽器本体１２の一方に複数の弦止め１３〜１６を、他方に糸巻調音器２０〜２３を配置し、弦止め１３〜１６と糸巻調音器２０〜２３との間に必要数の弦２５〜２８を張設した弦楽器１０において、弦楽器本体１２を竹材によって構成し、竹材に長手方向に沿って設けられたＵ字状の切り込み３５によって一方が自由状態にある共鳴板部１１を形成し、共鳴板部１１の一方に弦止め１３〜１６を配置し、竹材の他方をネック部１８として延長して糸巻調音器２０〜２３を設け、更に、共鳴板部１１にピックアップマイク２９を設けた。【選択図】図１
2015114537.tif 000002
【特許請求の範囲】
【請求項１】
弦楽器本体の一方に複数の弦止めを、他方に前記弦止めに対応した数の糸巻調音器を配置し、前記弦止めと前記糸巻調音器との間に必要数の弦を張設した弦楽器において、
前記弦楽器本体を竹材によって構成し、該竹材に長手方向に沿って設けられたＵ字状の切り込みによって一方が自由状態にある共鳴板部を形成し、該弦楽器本体の共鳴板部の一方に前記弦止めを配置し、前記竹材の他方を延長して前記糸巻調音器を設け、更に、前記共鳴板部にピックアップマイクを設けたことを特徴とする弦楽器。
【請求項２】
請求項１記載の弦楽器において、前記弦楽器本体の一方を更に延長して対となる脚部を形成したことを特徴とする弦楽器。
【請求項３】
請求項１又は２記載の弦楽器において、前記共鳴板部は前記竹材の節の間に設けられていることを特徴とする弦楽器。
【請求項４】
請求項１〜３のいずれか１項に記載の弦楽器において、前記糸巻調音器の一方で、前記弦楽器本体の他方側に設けられたネック部の他側端部には、前記弦を一定の長さに保つ第１の駒が設けられていることを特徴とする弦楽器。
【請求項５】
請求項４記載の弦楽器において、前記弦止めの近傍には、前記弦を一定の長さに保つ第２の駒が設けられていることを特徴とする弦楽器。
【請求項６】
請求項１〜５のいずれか１項に記載の弦楽器において、前記共鳴板部の長さは、前記弦の長さの０．３〜０．５倍の範囲にあることを特徴とする弦楽器。
【請求項７】
請求項１〜７のいずれか１項に記載の弦楽器において、前記ピックアップマイクは、前記共鳴板部の一側端部に設けられていることを特徴とする弦楽器。
【発明の詳細な説明】
【技術分野】
【０００１】
本発明は竹材を用いた弦楽器に係り、特に、バイオリン、チェロ、ギター等に適用可能な弦楽器に関する。
【背景技術】
【０００２】
ギター等の楽器は、中央に絞り部を有するギター本体（胴部）及びこれに連接されたネック部と、ネック部に先側に設けられた糸巻調音器と、前記ネック部とギター本体に設けられた弦止めとの間に張設された複数の弦とを有する。そして、各弦の両側には、第１、第２の駒が設けられ、ネック部には所定間隔でフレットが設けられて、希望する音階を弦から発するようになっている。
しかしながら、従来のギター本体を利用して爪弾き音を共鳴させると、ギター本体に比較的大きな容積が必要となるので、ギター本体に共鳴板を配置することが行われている（特許文献１参照）。
更には、特許文献２には、竹を力木に使用した弦楽器が提案されており、弦楽器に竹材を使用することは一般に知られている。
【先行技術文献】
【特許文献】
【０００３】
【特許文献１】特開２００５−８４２５７号公報
【特許文献２】特開２００１−２３６０５８号公報
【発明の概要】
【発明が解決しようとする課題】
【０００４】
しかしながら、特許文献１の技術は竹材を使用しているわけではなく、従って直線性に優れた竹材の特質が生かされているわけではない。
また、特許文献２には、竹材を力木として使用した弦楽器が提案されているが、竹材は一部にしか使用されていない。
【０００５】
本発明はかかる事情に鑑みてなされたもので、竹材を主要材料として使用し、竹材の有効利用を図る弦楽器（例えば、ギター、チェロ、バイオリン、又はこれらに類似する楽器）を提供することを目的とする。
【課題を解決するための手段】
【０００６】
前記目的に沿う本発明に係る弦楽器は、弦楽器本体の一方に複数の弦止めを、他方に前記弦止めに対応した数の糸巻調音器を配置し、前記弦止めと前記糸巻調音器との間に必要数の弦を張設した弦楽器において、
前記弦楽器本体を竹材によって構成し、該竹材に長手方向に沿って設けられたＵ字状の切り込みによって一方が自由状態にある共鳴板部を形成し、該弦楽器本体の共鳴板部の一方に前記弦止めを配置し、前記竹材の他方を延長して前記糸巻調音器を設け、更に、前記共鳴板部にピックアップマイクを設けた。
【０００７】
本発明に係る弦楽器において、前記弦楽器本体の一方を更に延長して対となる脚部を形成してもよい。
【０００８】
本発明に係る弦楽器において、前記共鳴板部は前記竹材の節の間に設けられているのが好ましい。
【０００９】
本発明に係る弦楽器において、前記糸巻調音器の一方で、前記弦楽器本体の他方側に設けられたネック部の他側端部には、前記弦を一定の長さに保つ第１の駒が設けられているのが好ましい。また、前記弦止めの近傍には、前記弦を一定の長さに保つ第２の駒が設けられているのが好ましい。
【００１０】
本発明に係る弦楽器において、前記共鳴板部の長さは、前記弦の長さの０．３〜０．５倍の範囲にあるのが好ましい。
【００１１】
そして、本発明に係る弦楽器において、前記ピックアップマイクは、前記共鳴板部の一側端部に設けられているのが好ましい。
【発明の効果】
【００１２】
本発明に係る弦楽器は、弦楽器本体が竹製であるので、竹材の有効理由が図れると共に、竹材は直線性に優れ、曲げ応力に対して強いので、弦の張力がかかる部分（例えば、ネック部）に竹材を使用することができる。
特に、筒状の竹材の一部を使用して断面円弧状の弦楽器本体とすると、より耐曲げ応力が大きくなり、優れたネック材となる。更に、バイオリン、チェロ等のフレット無しの弦楽器に使用する場合は、そのまま竹の表面の断面円弧形状を利用できる。
また、竹材は中空となって長いので、内側空間部を利用して共鳴領域とすることができる他、本発明に係る弦楽器においては、共鳴板部を有しているので、この部分が弦の振動に合わせて共鳴して良質の音を発生する。
【００１３】
更に、竹材は長いので、一方を延長して脚部を形成することが容易となり、チェロスタイルの楽器とすることができる。
特に、ピックアップマイクを使用することで、周囲の雑音を拾わず、サイレント楽器と同様な楽器となる。
【図面の簡単な説明】
【００１４】
【図１】本発明の一実施の形態に係る弦楽器の斜視図である。
【図２】同弦楽器の正面図である。
【図３】同弦楽器の側面図である。
【図４】同弦楽器の拡大図である。
【図５】（Ａ）は図４における矢視Ａ−Ａ’断面図、（Ｂ）は図４における矢視Ｂ−Ｂ’断面図、（Ｃ）は図４における矢視Ｃ−Ｃ’断面図、（Ｄ）は図４における矢視Ｄ−Ｄ’断面図である。
【発明を実施するための形態】
【００１５】
続いて、本発明を具体化した実施の形態に係る弦楽器について説明し、本発明の理解に供する。なお、以下の説明において、一方を図１におけるＡ方向とし、他方をＢ方向とする。
【００１６】
図１〜図３に示すように、本発明の一実施の形態に係る弦楽器１０は、大径（例えば、直径が７〜２０ｃｍ）の竹材（例えば、孟宗竹）からなり、途中位置には共鳴板部１１が形成された弦楽器本体１２と、共鳴板部１１に設けられた複数の弦止め１３〜１６と、弦楽器本体１２の他方側（先側）を延長して形成されたネック部１８の他方位置に設けられた複数（弦止め１３〜１６に対応した数、この実施の形態では４）の糸巻調音器２０〜２３と、弦止め１３〜１６と糸巻調音器２０〜２３によって張設された弦２５〜２８と、共鳴板部１１の一方（一側端部）に設けられたピックアップマイク２９とを有している。以下、これらについて詳しく説明する。
【００１７】
弦楽器本体１２は、中央位置にある円筒部３０と、円筒部３０の一方側に延長して設けられた対となる脚部３１、３２と、円筒部３０の他側に設けられたネック部１８とを有し、この実施の形態では例えば、円筒部３０の長さが３０〜５０ｃｍ、脚部３１、３２の長さが３５〜４５ｃｍ、ネック部１８の長さが４０〜５０ｃｍ程度である。なお、本発明はこれらの寸法に限定されるものではない。
【００１８】
図４、図５（Ａ）〜（Ｄ）に示すように、共鳴板部１１は円筒部３０の円周方向一部に、長手方向に沿ってＵ字状に切り込み３５を入れて形成される。共鳴板部１１の他方側は円筒部３０に固定され、一方側は自由端となって、一方側端部領域には外径が６〜８ｃｍの環状部３４が設けられている。共鳴板部１１の他側端には一定の大きさ（面積）を有する切り孔３７、３８が形成され、鋸やカッターの挿入ができるようになっている。また、環状部３４の根元にも切り孔３９、４０を設けて、共鳴板部１１を形成するための切り込み３５を設けてもよい。なお、切り孔３７、３８、３９、４０は加工の都合上設けたものである。環状部３４の半径方向の幅は０．５〜１ｃｍ程度となって内側に内孔３４ａが形成されている。
この共鳴板部１１の長さは弦２５〜２８の長さの例えば、０．３〜０．５倍となっている。また、共鳴板部１１は、竹材の節の間に形成されている。
【００１９】
弦楽器本体１２の一方で、共鳴板部１１の一方で、かつ環状部３４の他方側でその周囲には、弦止め１３〜１６が設けられている。この弦止め１３〜１６は周知のもので、通常のフォークギター等に使用されて、弦２５〜２８の片側を止めるものである。この実施の形態では、弦止め１３〜１６は円弧状配列をしたが、直線状であってもよい。また、弦止め１３〜１６及び糸巻調音器２０〜２３にそれぞれ両端部が固定される弦２５〜２８が張設されている。なお、糸巻調音器２０〜２３は、ギターやバイオリン等では周知の機具（ウォーム機構）がしようされている。
【００２０】
糸巻調音器２０〜２３と弦止め１３〜１６の間には弦２５〜２８が平行に張られている。この弦楽器１０をバイオリン、チェロと同様弓を用いて演奏する場合、各弦２５〜２８を断面円弧状に配置する。そして、ネック部１８の他方側（即ち、糸巻調音器２０〜２３の一方側（近傍））に、弦２５〜２８を底から支持して弦２５〜２８を一定の長さに保つ第１の駒４２が設けられ、弦止め１３〜１６の近傍に設けられて弦２５〜２８を底から支持して弦２５〜２８を一定の長さに保つ第２の駒４２ａが設けられている。
なお、この弦楽器１０をギター等と同様、爪弾いて引く場合は、弦２５〜２８の配置は円弧状でもよいが、直線上に並べて配置してもよい。但し、チェロとして弾く場合は、弦２５〜２８は円弧状に並べておく。
【００２１】
ネック部１８は、竹材の筒の一部から切り出したもので、曲げに対して十分な強度を有する厚みを有しているが、不足する場合は、竹材を重ねることもできる。ネック部１８の他方側には、糸巻調音器２０〜２３の取付け部４３が形成されている。この取付け部４３は弦２５〜２８と直交する方向に調整ねじを配置し、調整ねじによって駆動される糸巻（ウォーム）を有している。ネック部１８の幅方向中心線は共鳴板部１１の中心線に一致するのがよい。
【００２２】
円筒部３０の一方側には、共鳴板部１１の中心線を基準にして左右に対となる脚部３１、３２を有し、この脚部３１、３２を床上において、この弦楽器１０を立てた状態で演奏できる。そして、共鳴板部１１の一方側の端部には幅広領域３２ａが設けられ、この幅広領域３２ａにピックアップマイク２９が固定されている。このピックアップマイク２９の取付けはクリップ等でもよいし、幅広領域３２ａに接着剤等で固定してもよい。
【００２３】
ピックアップマイク２９は、通常のアコースティックギター（ピエゾ素子を用いたマイク）に使用するものでよく、これによって周囲の雑音等を除去できる。また、ピックアップマイク２９で得た信号は通常のアンプに供給され、スピーカによって増幅音となる。
【００２４】
従って、この弦楽器１０を使用する場合は、まず所定の弦２５〜２８を弦止め１３〜１６と糸巻調音器２０〜２３との間に張って、糸巻調音器２０〜２３を用いて弦２５〜２８の張りを調整し、所定の周波数の音階（例えば、Ｃ、Ｇ、Ｄ、Ａ）が発するように調整する。次に、脚部３１、３２の先端を床に付けて、弦２５〜２８を指で押さえながら、バイオリン、チェロと同じように、弓で弾くことになる。勿論、このまま、指やピックで爪弾くこともできる。
【００２５】
本発明は以上の実施の形態に限定されるものではなく、本発明の要旨を変更しない範囲で、形状、寸法の変更ができる。また、前記実施の形態においては、弦は４本であったが、１〜３本、５本以上のいずれであってもよい。
【符号の説明】
【００２６】
１０：弦楽器、１１：共鳴板部、１２：弦楽器本体、１３〜１６：弦止め、１８：ネック部、２０〜２３：糸巻調音器、２５〜２８：弦、２９：ピックアップマイク、３０：円筒部、３１、３２：脚部、３２ａ：幅広領域、３４：環状部、３４ａ：内孔、３５：切り込み、３７〜４０：切り孔、４２：第１の駒、４２ａ：第２の駒、４３：取付け部
【図１】
2015114537.tif 000003
【図２】
2015114537.tif 000004
【図３】
2015114537.tif 000005
【図４】
2015114537.tif 000006
【図５】
2015114537.tif 000007